(57)【要約】      （修正有）【課題】フィルター交換が容易な気密庫用吸排気システムを提供する。【解決手段】フィルターの交換時にあって、フィルターケーシング２の第二開放端２８から挿入したフィルターが、フィルター装着位置４０まで移送されると、フィルター装着位置４０に既にあるフィルターが、フィルターによってアイソレーター１００のフィルター収容バッグ４５内に押し出されるようにした。かかる構成により、フィルター交換が迅速かつ容易になされる。【選択図】図１１
0003140157.tif 000002
【実用新案登録請求の範囲】
【請求項１】
庫内が外界に対して気密化されている気密庫に設けられた吸排気用開口部には、筒形状のフィルターケーシングの一方の第一開放端が接続され、かつ当該フィルターケーシング内の前記第一開放端に臨むフィルター装着位置にはフィルターが装着され、該気密庫内の空気を、前記吸排気用開口部から前記フィルターケーシング内に導入し、さらに当該フィルターケーシング内の前記フィルターを透過させてから当該フィルターケーシングに配設されたケーシング吸排気口を介して外界へ排出して前記気密庫の排気を行なう、又は、外気を、前記ケーシング吸排気口を介して前記フィルターケーシング内に導入し、さらに当該フィルターケーシング内の前記フィルターを透過させてから前記吸排気用開口部を介して前記気密庫へ排出して前記気密庫へ吸気する気密庫用吸排気システムにおいて、
前記フィルターの交換時にあって、前記フィルターケーシングの他方の第二開放端から挿入されたフィルターが、前記フィルター装着位置まで移送されると共に、フィルター装着位置に既にあるフィルターが、新たに投入された前記フィルターによって前記第一開放端及び前記吸排気用開口部を介して気密庫へ押し出されることにより、フィルター装着位置におけるフィルターが新たなフィルターに置換されてフィルター交換されるものであることを特徴とする気密庫用吸排気システム。
【請求項２】
前記フィルター装着位置には、複数のフィルターが前記フィルターケーシングの筒方向に沿って連接されて配置されてなり、新たに投入された所定数だけ筒方向に沿って並ぶ装着前のフィルターが順次当該フィルター装着位置まで移動すると、該移動したフィルターと同数のフィルターがフィルター装着位置から気密庫内へ順に押し出されるものであることを特徴とする請求項１記載の気密庫用吸排気システム。
【請求項３】
前記フィルターケーシング内に、フィルター装着位置にあるフィルターと第二開放端との間に空隙を形成して、該空隙を、前記気密庫からフィルターを透過して導入された空気が一時的に滞留する空気滞留部とし、該空気滞留部に臨ませて前記ケーシング吸排気口を配設してなることを特徴とする請求項１又は請求項２記載の気密庫用吸排気システム。
【請求項４】
前記フィルターケーシングの第二開放端には、遮蔽位置で当該フィルターケーシング内を気密化できる開閉扉が配設されてなることを特徴とする請求項１乃至請求項３のいずれか１項に記載の気密庫用吸排気システム。
【請求項５】
前記フィルターは、シールが外面に取り付けられた籠型のフィルター保持具により保持されてなり、フィルターとフィルター保持具とからなるフィルターユニットがフィルター装着位置に位置した際に、前記シールが当該フィルターケーシングの内面と密着してなることを特徴とする請求項１乃至請求項４のいずれか１項に記載の気密庫用吸排気システム。
【請求項６】
前記フィルターケーシングは、角筒形状であり、前記フィルター保持具の外形が、前記フィルターケーシングに対応した大きさの矩形形状とされてなることを特徴とする請求項５記載の気密庫用吸排気システム。
【請求項７】
前記気密庫に設けられた吸排気用開口部に、当該気密庫から前記フィルターケーシング内へ当該気密庫を洗浄する洗浄水が浸入することを防ぐ水切り部材が配設されていることを特徴とする請求項１乃至請求項６のいずれか１項に記載の気密庫用気密庫用吸排気システム。
【考案の詳細な説明】
【技術分野】
【０００１】
本考案は、アイソレーターなどの気密庫内の空気を排気または気密庫内へ吸気する気密庫用吸排気システムに関するものである。
【背景技術】
【０００２】
従来、医薬品製造工場等において局所的な作業空間を実現するアイソレーター、チャンバーなどの医療用気密庫はよく知られている。この気密庫の庫内は、薬品等を取扱うことができるように外界に対して気密的に遮閉され、除染ガスとしての過酸化水素ガスなどを投入して所定レベルの除染状態が維持可能となっている。ここで、除染とは、化学Ｔ期除染、無菌、殺菌、滅菌等が含まれる。
【０００３】
また、この気密庫には、庫内の空気を外部に排出する、又は庫内へ空気を導入する為のフィルター装置が連結されている。かかるフィルター装置は、当該気密庫に接続された吸排気用配管を備え、この吸排気用配管内にフィルター（例えばＨＥＰＡフィルター）が装着されている。そして、例えば、気密庫内の空気が該排気用配管に導入されると、該空気が前記フィルターを透過して当該フィルターにより汚染物質が除去され、外界へ排気可能となる（例えば、特許文献１，２参照）。吸気の場合も同様に前記フィルターにより汚染物質が除去される。
【０００４】
【特許文献１】特開２００４−４４８４７号公報
【特許文献２】特開２００１−５１４号公報
【考案の開示】
【考案が解決しようとする課題】
【０００５】
しかしながら、従来のフィルター装置にあっては、フィルターが所定の固定具を介して前記排気用配管にビス等で螺子固定されている構成が一般的であり、フィルター交換時において前記ビス等の脱着作業が非常に面倒であり、フィルター交換作業が非効率であるという問題があった。また、従来のフィルター交換作業は、前記のような脱着作業が必要であることから、作業時における汚染漏れの危険性が付きまとう問題もあった。
【０００６】
そこで本考案は、フィルターの交換作業が容易で簡便となる気密庫用吸排気システムを提供することを目的とする。
【課題を解決するための手段】
【０００７】
本考案は、庫内が外界に対して気密化されている気密庫に設けられた吸排気用開口部には、筒形状のフィルターケーシングの一方の第一開放端が接続され、かつ当該フィルターケーシング内の前記第一開放端に臨むフィルター装着位置にはフィルターが装着され、該気密庫内の空気を、前記吸排気用開口部から前記フィルターケーシング内に導入し、さらに当該フィルターケーシング内の前記フィルターを透過させてから当該フィルターケーシングに配設されたケーシング吸排気口を介して外界へ排出して前記気密庫の排気を行なう、又は、外気を、前記ケーシング吸排気口を介して前記フィルターケーシング内に導入し、さらに当該フィルターケーシング内の前記フィルターを透過させてから前記吸排気用開口部を介して前記気密庫へ排出して前記気密庫へ吸気する気密庫用吸排気システムにおいて、
前記フィルターの交換時にあって、前記フィルターケーシングの他方の第二開放端から挿入されたフィルターが、前記フィルター装着位置まで移送されると共に、フィルター装着位置に既にあるフィルターが、新たに投入された前記フィルターによって前記第一開放端及び前記吸排気用開口部を介して気密庫へ押し出されることにより、フィルター装着位置におけるフィルターが新たなフィルターに置換されてフィルター交換されるものであることを特徴とする気密庫用吸排気システムである。
【０００８】
かかる構成にあっては、新しいフィルターを第二開放端からフィルター装着位置に向かって押し込むと、該押し込み動作に起因して交換対象の古いフィルターがフィルター装着位置から押し出され、さらにフィルターケーシングの第一開放端から抜き出て、気密庫内に移動する。ここで、古いフィルターは、新たに投入されたフィルターに直接当接して押し出される場合もあるし、新しいフィルターとの間に介在した物体に直接当接して押し出される場合もある。このように本考案は、新しいフィルターをフィルター装着位置にスライドさせて到達させる一連の動作で、古いフィルターを気密庫へスライドさせて押し出し、フィルターを交換することが可能となる。
【０００９】
また、前記フィルター装着位置には、複数のフィルターが前記フィルターケーシングの筒方向に沿って連接されて配置されてなり、新たに投入された所定数だけ筒方向に沿って並ぶ装着前のフィルターが順次当該フィルター装着位置まで移動すると、該移動したフィルターと同数のフィルターがフィルター装着位置から気密庫内へ順に押し出される構成が望ましい。
【００１０】
かかる構成にあって、フィルター装着位置にある複数のフィルターのうち第一開放端に臨むフィルター以外のフィルターは、通常の使用状態においてフィルターとしての機能を果たしつつ、次回のフィルター交換時における新たなフィルター（ストック用フィルター）としての役割もある。なお、一般的に、気密庫の排気用として使用する場合はフィルター装着位置にある複数のフィルターのうち第一開放端に臨むフィルターが最も汚れ易く、第二開放端に近いフィルターに従って汚染の度合いが低くなる。
【００１１】
また、前記フィルターケーシング内に、フィルター装着位置にあるフィルターと第二開放端との間に空隙を形成して、該空隙を、前記気密庫からフィルターを透過して導入された空気が一時的に滞留する空気滞留部とし、該空気滞留部に臨ませて前記ケーシング吸排気口を配設してなる構成が提案される。
【００１２】
かかる構成とすることにより、空気滞留部に滞留して流動速度が著しく低下した状態の静的な空気がケーシング吸排気口から排気されることとなるため、フィルターを透過した空気がケーシング吸排気口を介してフィルターケーシングから円滑に外界へ排気される。
【００１３】
また、前記フィルターケーシングの第二開放端には、遮蔽位置で当該フィルターケーシング内を気密化できる開閉扉が配設されてなる構成が提案される。
【００１４】
かかる構成にあって、気密庫に対して空気を吸排気する場合は、前記開閉扉を遮蔽位置としてフィルターケーシング内を気密化し、新たなフィルターを投入する場合には、該開閉扉を開放位置として第二開放端を開放する。したがって、適宜位置変換させることにより、適正に、気密庫内の空気を吸排気することができると共にフィルター交換作業を行なうことができる。
【００１５】
また、前記フィルターは、シールが外面に取り付けられた籠型のフィルター保持具により保持されてなり、フィルターとフィルター保持具とからなるフィルターユニットがフィルター装着位置に位置した際に、前記シールが当該フィルターケーシングの内面と密着してなる構成が提案される。
【００１６】
かかる構成のように、各フィルターをユニット化することにより、フィルターの保守管理、及びフィルターの交換作業がより一層、簡便なものとなる。
【００１７】
なお、前記フィルターケーシングは、角筒形状であり、前記フィルター保持具の外形が、前記フィルターケーシングに対応した大きさの矩形形状とされていてもよい。
【００１８】
かかる構成とすることにより、フィルターケーシング内に露出するフィルターの表面積を可及的に広く確保することが可能となり、排気効率が向上する。
【００１９】
さらに、前記気密庫に設けられた吸排気用開口部に、当該気密庫から前記フィルターケーシング内へ当該気密庫を洗浄する洗浄水が浸入することを防ぐ水切り部材が配設されている構成が望ましい。
【００２０】
かかる構成にあって、気密庫内で医薬用品を扱う場合はコンタミネーションを防止するために庫内の洗浄が必要となるところ、前記水切り部材を配設することにより、係る洗浄に用いられる洗浄水がフィルターケーシング内に浸入してフィルターが濡れて機能低下してしまうことを防止することができる。
【考案の効果】
【００２１】
本考案の気密庫用吸排気システムは、新たに投入されたフィルターが、前記フィルター装着位置まで移送されると共に、当該フィルター装着位置に既にあるフィルターが、新たに投入された前記フィルターの移送に伴い前記第一開放端及び吸排気用開口部を介して気密庫内へ押し出されるようにしたため、フィルターの交換作業を迅速かつ容易に行なえる効果がある。  
【考案を実施するための最良の形態】
【００２２】
以下に、アイソレーター用吸排気システム１（以下、適宜、吸排気システム１という。）の実施例を添付図面に従って説明する。
この吸排気システム１は、例えば抗生物質等を取扱っているアイソレーター１００内の空気を当該アイソレーター１００の外にある排気系統の吸排気ダクト６へ安全に排気するため、あるいは外気を当該アイソレーター１００内に清浄化して吸気するためのものであり、該アイソレーター１００の外部が本考案に係る外界に相当する。なお、前記吸排気システム１により、本考案に係る気密庫用吸排気システムが構成される。また、本実施例に係る医薬用のアイソレーター１００により、本考案に係る気密庫が構成される。
【００２３】
図１に従って、まず前記アイソレーター１００を説明する。
アイソレーター１００は、医薬品製造工場の床面に載置される基台１０１を備えている。さらに、この基台１０１の上に装置筐体１０２が乗載されている。かかる構成にあって、後述するように、装置筐体１０２の内部が気密的に遮閉化され、除染ガスとしての過酸化水素ガスによって除染されることにより、局所的に除染された作業空間１０６が生成される。また、アイソレーター１００の天井部には、吸排気用開口部１１６が開口している。該吸排気用開口部１１６には、後述のフィルターケーシング２が接続されている。
【００２４】
また、室壁１０５の一部は、内部を視認可能とする透明なガラス窓１１２により構成されている。さらに、このガラス窓１１２には、室内と室外とを連通させる作業用開口部１１３が形成されている。そして、この作業用開口部１１３には、可撓性材料からなるグローブ１１４の基端部がＯリング（図示省略）を用いて気密状に取り付けられている。これにより、グローブ１１４が作業空間１０６側に突出する態様で作業用開口部１１３が気密状に遮閉されることとなる。そして、作業者は、室外からグローブ１１４に手を挿入してガラス窓１１２を介して内部を確認しながら作業空間１０６で作業可能となる。
【００２５】
また、本アイソレーター１００には、過酸化水素ガスを発生させる過酸化水素ガス供給装置１１５が接続されている。そして、過酸化水素ガス供給装置１１５が発生させた過酸化水素ガスが、装置筐体１０２の内部に投入されることにより、例えば作業対象であるワーク（図示省略）の表面や室壁１０５の内面が除染される。
【００２６】
次に、本考案の要部である吸排気システム１について詳述する。
前記吸排気システム１は、アイソレーター１００の吸排気用開口部１１６に接続されたフィルターケーシング２を備えている。このフィルターケーシング２は金属材料からなり、図１，７等に示すように、横断面形状が正方形の角筒形状であって、その上端及び下端が開放端となっている。そして、図２等に示すように、該フィルターケーシング２の下端の第一開放端２７が前記アイソレーター１００の吸排気用開口部１１６に気密接続されている。一方、フィルターケーシング２の上端の第二開放端２８には、把手３１のある開閉扉３が枢設されている（図２，６等参照）。そして、該開閉扉３が支軸３２（図２参照）を中心にして回動し、該第二開放端２８を開放する開放位置と、該第二開放端２８を気密遮蔽する遮蔽位置とに変換される。なお、開閉扉３が遮蔽位置で第二開放端２８を気密遮蔽する構成は、公知の技術が用いられる。
【００２７】
また、図１，２等に示すように、前記フィルターケーシング２の上部側面には、ケーシング吸排気口１４が配設され、該ケーシング吸排気口１４に吸排気案内管５の一端が接続されている。さらに、この吸排気案内管５の他端は、当該医薬品製造工場内に既設されている吸排気ダクト６に連結されている。なお、前記ケーシング吸排気口１４に接続された吸排気案内管５には、当該吸排気案内管５内を流動する空気を開通又は不通としてフィルターケーシング２の内圧を調整できる開閉バルブ装置４が取り付けられている。これにより、フィルターケーシング２内と吸排気ダクト６との間で空気が流動可能な状態と、流動不能な状態とに切り替えることが可能となっている。この開閉バルブ装置４は、公知品が好適に用いられる。
【００２８】
さらに、前記フィルターケーシング２内には、フィルター２２が配置されて、該フィルター２２により汚染物質を除去することができるようになっている。詳述すると、図３等に示すように、フィルター２２は、立方体形状に成形された公知のＨＥＰＡフィルターにより構成されている。そして、該フィルター２２は、その各辺を支持する籠型のフィルター保持具２１により囲繞されて保持されている。なお、フィルター保持具２１がフィルター２２を保持している状態にあっては（図３参照）フィルター保持具２１に配された矩形窓部２１Ａを介してフィルター２２の表面が露出することとなる。
【００２９】
また、前記フィルター保持具２１の外周には、２条のＯリングシール２４が外嵌されている。ここで、該Ｏリングシール２４がフィルター保持具２１から脱離してしまうことを防止すべく、図４に示すように、当該フィルター保持具２１の外周面には２条の凹溝２５が周成されており、各凹溝２５内にＯリングシール２４が嵌めこまれている。なお、前記フィルター２２と前記フィルター保持具２１とで、フィルターユニット２０が構成され、後で詳述するように、該フィルターユニット２０ごと交換されることにより、フィルター交換がなされる。なお、本吸排気システム１で用いられるフィルターユニット２０は、すべて同じ寸法形状とされる。
【００３０】
また、フィルターケーシング２内には、図５に示すように、複数の杆材（アングル材）で組み立てられた直方体形状のフィルター押え治具３０が配置される。このフィルター押え治具３０は、各面の中央に矩形の透孔３０Ａが開口している。なお、該フィルター押え治具３０を構成する各杆材は、金属製であってもよいし、合成樹脂製であってもよい。
【００３１】
ところで、フィルターケーシング２を角筒形状とすると共に、汚染物質を吸着するフィルター２２を立方体形状としたことにより、該フィルター２２において汚染物質を吸着できる表面積を広く確保することができることとなり、全体として吸排気効率を向上させ得る、又はフィルター交換サイクルの頻度を長期化させ得るなどの効果がある。
【００３２】
なお、前記吸排気用開口部１１６には、アイソレーター１００内を洗浄するための洗浄水等が後述のフィルターケーシング２内に漏洩して後述のフィルター２２に飛散することを防止する水切り部材１１１（図１，８等参照）が装着されている。この水切り部材１１１は、図８等に示されるように、正面視矩形を呈し、本体枠１１１Ａとアイソレーター１００内部に臨む位置に配置されたパンチング穴で構成される透孔面１１１Ｂとで構成されている。また、当該水切り部材１１１内部には、ルーバー（図示省略）が複数列設されており、前記透孔面１１１Ｂを介してアイソレーター１００とフィルターケーシング２との間で通気を可能としつつ、フィルターケーシング２内への洗浄水の浸入を前記ルーバーにより阻止している。なお、図１に示すように、前記水切り部材１１１は、アイソレーター１００に軸支されており、開閉自在に取り付けられている。
【００３３】
次に、吸排気システム１の使用状態を説明する。
まず、前工程として、フィルターケーシング２にフィルター２２を定位置に取り付ける。本実施例では、図２に示すように、フィルターケーシング２の下端であって第一開放端２７に臨む位置を、フィルターケーシング２におけるフィルター装着位置４０とし、該フィルター装着位置４０に、二つのフィルターユニット２０，２０を筒方向（上下方向）に沿って並置する。ここで、フィルターユニット２０をフィルターケーシング２内に挿入した状態にあっては、上記フィルターユニット２０の各Ｏリングシール２４が、図７等に示すように当該フィルターケーシング２の内面１２と全周に亘って密着している。
【００３４】
具体的な装着手順としては、フィルターケーシング２の上端にある開閉扉３を開放位置とし、開放された第二開放端２８から前記フィルターユニット２０を一つずつ当該フィルターケーシング２内に嵌め入れ、該フィルターユニット２０をフィルターケーシング２内で内面１２とＯリングシール２４との摩擦抵抗に抗して下方に移送させながら前記フィルター装着位置４０に到達させる。
【００３５】
ここで、フィルターユニット２０をフィルター装着位置４０まで容易に移送させるべく、前記フィルター押え治具３０をフィルターケーシング２内に第二開放端２８から挿入して、該フィルター押え治具３０の下面でフィルターユニット２０の上面を押さえつけて下方へ押し込むようにしてもよい。
【００３６】
ところで、上述のようにフィルターユニット２０とフィルターケーシング２とは密着しているため、当該フィルターユニット２０に保持力が生じて、該フィルターユニット２０はフィルターケーシング２内で適宜の位置で位置固定させることができる。また、フィルターケーシング２内では、表面に露出しているフィルター２２を介してのみ空気が流動可能となる。なお、本実施例のフィルターケーシング２に係る第二開放端２８近傍は、フィルターユニット２０やフィルター押え治具３０が挿入し易いように、わずかに幅広の開口巾とされている。ここで便宜上、フィルター装着位置４０で上下に並んだフィルターユニット２０，２０のうち、アイソレーター１００側のフィルターユニット２０を第一フィルターユニット２０Ａとし、該第一フィルターユニット２０Ａの上側に位置するフィルターユニット２０を第二フィルターユニット２０Ｂとする。
【００３７】
さらに、フィルター装着位置４０に配置された第二フィルターユニット２０Ｂの上側には、前記フィルター押え治具３０が載せられ、そしてさらに前記開閉扉３を遮蔽位置として、フィルターケーシング２内が気密化される。なお、このとき、開閉バルブ装置４を適宜操作して、フィルターケーシング２及び／又はアイソレーター１００の内圧を制御してもよい。これまでに述べたフィルター２２の装着作業により、前工程が終了する。
【００３８】
例えばアイソレーター１００内の空気を安全に排気する場合には、吸排気システム１にあって、まず開閉バルブ装置４を開通状態とし、またアイソレーター１００或いは当該吸排気システム１に配設された送風装置Ｆを駆動させる。そうすると、アイソレーター１００内の空気は、次のような経路で吸排気ダクト６まで誘導される。
【００３９】
まず、アイソレーター１００内の空気は、当該アイソレーター１００の吸排気用開口部１１６を介してフィルターケーシング２内に導入される。これと共に、該フィルターケーシング２の第一開放端２７にあるフィルター装着位置４０に配置されたフィルターユニット２０Ａ，Ｂに係るフィルター２２，２２内を上方に向かって透過し、フィルター押え治具３０が配置されている空部に至って、該空部で一時的に滞留し、該空部に臨ませて設けられたケーシング吸排気口１４から吸排気案内管５へ進入し、吸排気ダクト６へ排出される。なお、吸排気システム１のフィルターケーシング２に、吸排気ダクト６への空気流動を補助する送風装置を適宜配設してもよい。ところで、前記フィルター押え治具３０が配置されている空部（すなわち、第二開放端２８とフィルター２２との間隙）を空気滞留部αとして、第二フィルターユニット２０Ｂのフィルター２２を透過した空気を一時的に滞留させるようにしている。かかる構成とすることにより、透過した空気を静的な状態としてから吸排気案内管５へ誘導することが可能となり、フィルターケーシング２の筒方向に対して直交する吸排気案内管５へ円滑に空気を案内することが可能となって排気効率が向上する効果がある。なお、上記吸排気システム１は、アイソレーター１００へ空気を導入（吸気）するために用いてもよい。
【００４０】
次に、前記フィルター２２の交換作業について説明する。
図８ａに示すように、吸排気システム１を所定期間使用して吸排気を継続すると、フィルター２２が目詰りして吸着能力が低下する。このため、フィルターケーシング２内のフィルター２２を新しいフィルター２２に交換する作業が必要となる。そこで、以下のような手順でフィルター交換がなされる。なお、フィルター装着位置４０にあるフィルター２２のうち、最先に交換を要するフィルター２２は、アイソレーター１００に最も近い第一フィルターユニット２０Ａのフィルター２２である。
【００４１】
図８ｂに示すように、まず開閉扉３を開放し、フィルター押え治具３０を取り出す。また、アイソレーター１００の吸排気用開口部１１６において、水切り部材１１１を開放し、フィルター収容バッグ４５の開口４６を連結させる。そして、次に新しいフィルター２２が保持されてなる第三フィルターユニット２０Ｃを第二開放端２８からフィルターケーシング２内へ挿入する。
【００４２】
そして、図９ｃ，ｄに示すように、該第三フィルターユニット２０Ｃを下方へ移送する。このとき、フィルター押え治具３０を用いて該第三フィルターユニット２０Ｃを下方へ押し込むようにしてもよい。
【００４３】
ここで、新しい第三フィルターユニット２０Ｃが下方へ移動してフィルター装着位置４０に差し掛かると、該第三フィルターユニット２０Ｃの下面が第二フィルターユニット２０Ｂの上面と当接し、該第二フィルターユニット２０Ｂを下方へ押圧することとなる。そうすると、該第二フィルターユニット２０Ｂの直下に位置する第一フィルターユニット２０Ａも押圧されて順に下方へ移動する。
【００４４】
そうすると、図１０ｅに示すように、第一フィルターユニット２０Ａは、前記第三フィルターユニット２０Ｃの移送に伴い第一開放端２７及び吸排気用開口部１１６を介してアイソレーター１００内のフィルター収容バッグ４５内へ押し出される。このように、第一フィルターユニット２０Ａがフィルター収容バッグ４５内に収容されるのと共に、第二フィルターユニット２０Ｂはフィルター装着位置４０の下位に配され、新たな第三フィルターユニット２０Ｃはフィルター装着位置４０の上位に配される。換言すれば、フィルター装着位置４０にあって、第一、第二フィルターユニット２０Ａ，２０Ｂが、第二、第三フィルターユニット２０Ｂ，２０Ｃに置換される。
【００４５】
前記フィルター収容バッグ４５内に収容されたフィルターユニット２０Ａは、その開口４６がシールされて切断されることにより、汚染物質を飛散させることなく交換対象である第一フィルターユニット２０Ａが回収される。そして、吸排気用開口部１１６について水切り部材１１１を閉鎖して装着するなどの後処理がなされてフィルター交換作業が完了する。
【００４６】
なお、フィルター２２の交換時期は、フィルター２２の前後で圧力降下（差圧）を計測して特定することができる。
【００４７】
なお、本考案は、上記実施例に限定されるものでなく、本考案の趣旨を逸脱しない範囲で適宜変更可能である。例えば、フィルター装着位置４０に配置可能なフィルター２２の数は、３個以上であってもよいし、１個（単数）であってもよい。ただし、いずれの場合にあっても、装着前の新しいフィルター２２が所定数だけ投入されると、それと同数のフィルター２２がフィルター装着位置４０から押し出されてフィルター収容バッグ４５で収容可能となるトコロテン式の構成が好適である。また、フィルターケーシング２は、円筒形状であってもよく、これに伴ってフィルター２２を円柱（円盤）形状としてもよい。また、フィルターケーシング２は、起立状に設置してフィルター２２を上下方向で移動させる以外にも、アイソレーター１００などの気密庫に対して水平に取り付けてフィルター２２を左右方向で移動させるようにしてもよい。
【図面の簡単な説明】
【００４８】
【図１】吸排気システム１の概要側面図である。
【図２】吸排気システム１の部分拡大縦断側面図である。
【図３】フィルターユニット２０の外観斜視図である。
【図４】Ｏリングシール２４の装着状態を示す説明図である。
【図５】フィルター押え治具３０の外観斜視図である。
【図６】フィルターケーシング２の平面図である。
【図７】図２のＡ−Ａ線横断面図である。
【図８】水切り部材１１１の正面図である。
【図９】フィルターの交換手順を示す説明図である。
【図１０】図９から続く、フィルターの交換手順を示す説明図である。
【図１１】図１０から続く、フィルターの交換手順を示す説明図である。
【符号の説明】
【００４９】
１  アイソレーター用吸排気システム
２  フィルターケーシング
３  開閉扉
６  吸排気ダクト
１４  排気口
２０（２０Ａ，２０Ｂ，２０Ｃ）  フィルターユニット
２１  フィルター保持具
２２  フィルター
２４  Ｏリングシール
２７  第一開放端
２８  第二開放端
３０  フィルター押え治具
４０  フィルター装着位置
１００  アイソレーター
１１１  水切り部材
α  空気滞留部
【図１】
0003140157.tif 000003
【図２】
0003140157.tif 000004
【図３】
0003140157.tif 000005
【図４】
0003140157.tif 000006
【図５】
0003140157.tif 000007
【図６】
0003140157.tif 000008
【図７】
0003140157.tif 000009
【図８】
0003140157.tif 000010
【図９】
0003140157.tif 000011
【図１０】
0003140157.tif 000012
【図１１】
0003140157.tif 000013